(57)【特許請求の範囲】
【請求項１】
直管形のランプの口金を保持する１乃至複数のランプソケットと、前記ランプに給電して点灯する電源装置と、前記ランプソケット及び前記電源装置を支持して造営材に取り付けられる器具本体と、前記器具本体に着脱可能に取り付けられて前記ランプの口金を覆うカバーとを備え、
前記カバーは、帯状の金属材料が長手方向に沿って湾曲するように形成されるカバー本体と、前記カバー本体の長手方向の一端部分に設けられる引掛部と、前記カバー本体の長手方向の他端部分に設けられる締結部とを有し、前記カバー本体により、前記ランプの長手方向に沿って前記口金全体を覆うように構成され、
前記器具本体は、長尺のベース板と、前記引掛部が引っ掛けられる被引掛部と、締結部材を用いて前記締結部と締結される被締結部とを有し、
前記被引掛部及び前記被締結部は、前記ベース板と一体に設けられることを特徴とする照明器具。
【請求項２】
前記引掛部は、前記カバー本体よりも幅の小さい首部と、前記首部よりも幅が大きく且つ前記カバー本体よりも幅の小さい頭部とを有し、
前記被引掛部は、前記頭部の幅よりも大きい幅の第１挿通孔と、前記頭部の幅よりも小さく且つ前記首部の幅よりも大きい幅の第２挿通孔と、前記第２挿通孔の幅よりも大きく且つ前記頭部の幅よりも小さい幅の第３挿通孔とを有し、前記第１挿通孔と前記第３挿通孔とが前記第２挿通孔を介して繋がるように構成されることを特徴とする請求項１記載の照明器具。
【発明の詳細な説明】
【技術分野】
【０００１】
本発明は、照明器具に関し、特に、ランプの口金を支持するランプソケットを備えた照明器具に関する。
【背景技術】
【０００２】
従来例として、特許文献１記載の照明器具を例示する。この従来例は、口金付きの直管ＬＥＤランプ（以下、ＬＥＤランプと略す。）を光源とする照明器具であって、逆富士型の器具本体（反射板）の底面に一対のランプソケットが取り付けられて構成される。ＬＥＤランプは、円筒形状のランプ本体の両端に口金が設けられている。そして、これら一対の口金が、一対のランプソケットに機械的に保持されることで照明器具にＬＥＤランプが装着される。
【０００３】
また、上記従来例では、器具本体の底面に着脱可能に取り付けられる落下防止器具を備える。落下防止器具は、光透過性を有する合成樹脂材料（ポリカーボネート樹脂など）により、略Ｕ字状に形成される胴部と、胴部の両端に形成される楔状の係止部とが一体に構成されている。
【０００４】
落下防止器具は、ＬＥＤランプのランプ本体の周囲を胴部で囲み、器具本体の底面に設けられる一対の挿入孔に係止部が挿入されて係止されることで器具本体に装着される。つまり、何らかの原因で口金がランプソケットから外れた場合、胴部がランプ本体を下から支えることでＬＥＤランプの落下が防止される。
【先行技術文献】
【特許文献】
【０００５】
【特許文献１】実用新案登録第４１６６９２７号公報
【発明の概要】
【発明が解決しようとする課題】
【０００６】
ところで、上記従来例は、火災の熱によって、合成樹脂製の落下防止器具や、同じく合成樹脂製のＬＥＤランプの口金が変形してしまう可能性がある。しかも、従来例における落下防止器具は、一対の係止部で器具本体に係止されているため、熱で変形した場合に係止部が挿入孔から離脱してしまう虞がある。
【０００７】
本発明は、上記課題に鑑みてなされたものであり、更なる安全性の向上を図ることを目的とする。
【課題を解決するための手段】
【０００８】
本発明の照明器具は、直管形のランプの口金を保持する１乃至複数のランプソケットと、前記ランプに給電して点灯する電源装置と、前記ランプソケット及び前記電源装置を支持して造営材に取り付けられる器具本体と、前記器具本体に着脱可能に取り付けられて前記ランプの口金を覆うカバーとを備え、前記カバーは、帯状の金属材料が長手方向に沿って湾曲するように形成されるカバー本体と、前記カバー本体の長手方向の一端部分に設けられる引掛部と、前記カバー本体の長手方向の他端部分に設けられる締結部とを有し、前記カバー本体により、前記ランプの長手方向に沿って前記口金全体を覆うように構成され、前記器具本体は、長尺のベース板と、前記引掛部が引っ掛けられる被引掛部と、締結部材を用いて前記締結部と締結される被締結部とを有し、前記被引掛部及び前記被締結部は、前記ベース板と一体に設けられることを特徴とする。
【発明の効果】
【０００９】
本発明の照明器具は、更なる安全性の向上を図ることができるという効果がある。
【図面の簡単な説明】
【００１０】
【図１】本発明に係る照明器具の実施形態を示し、図１Ａは上面図、図１Ｂは側面図、図１Ｃは側面図である。
【図２】同上の半断面図である。
【図３】同上を示し、図３Ａは反射部材を省略して一部破断した側面図、図３Ｂは反射部材を省略した下面図である。
【図４】同上における反射部材の平面図である。
【図５】同上におけるカバーを示し、図５Ａは断面図、図５Ｂは側面図、図５Ｃは側面図、図５Ｄは上面図である。
【図６】同上における被引掛部及び被締結部を示す一部省略した平面図である。
【図７】図７Ａ〜図７Ｃは器具本体に対するカバーの取付手順を説明するための説明図である。
【発明を実施するための形態】
【００１１】
以下、直管ＬＥＤランプを光源とする非常用照明器具に本発明の技術思想を適用した実施形態について、図１〜図７を参照して詳細に説明する。ただし、本発明の技術思想が適用可能な照明器具は非常用照明器具に限定されず、直管蛍光ランプや片口金形の蛍光ランプなどを光源とする一般照明用の照明器具などであってもよい。
【００１２】
本実施形態の照明器具は、天井に直付けされる照明器具であって、図１〜図３に示すように、器具本体１と、一対のランプソケット４と、常用電源装置５と、一対のカバー６とを備える。また、本実施形態の照明器具は、非常用電源装置７及び蓄電部８を備えることが好ましい。ただし、以下の説明では、特に断りの無い限り、図２において上下、左右、前後の各方向を規定し、紙面の手前向きを前、紙面の奥向きを後と規定する。
【００１３】
各ランプソケット４は、直管ＬＥＤランプ（以下、ランプと略す。）９のランプ本体９０の両端に設けられた各口金９１を機械的に保持するように構成される。また、一対のランプソケット４のうちの少なくとも何れか一方のランプソケット４は、口金９１に設けられる接触子（ピン）と電気的に接続されるように構成される。ただし、このようなランプソケット４は従来周知であるから、詳細な構成の図示並びに説明は省略する。
【００１４】
常用電源装置５は、商用交流電源のような外部電源から供給される電力を適宜電力変換してランプ９に給電することでランプ９を点灯するように構成される。蓄電部８は、ニッケル水素電池などの２次電池及び当該２次電池を収納するケースなどで構成される。非常用電源装置７は、前記外部電源から供給される電力で蓄電部８の２次電池を充電する充電回路、前記２次電池を電源としてランプ９を点灯する非常時点灯回路、切換回路などを備える。前記切換回路は、前記外部電源の停電を検出した場合、前記２次電池と前記充電回路との電気的な接続を解除し、且つ前記２次電池を前記非常時点灯回路と電気的に接続するように構成される。なお、常用電源装置５及び非常用電源装置７は、口金９１の前記接触子と電気的に接続されたランプソケット４を介して、ランプ９に給電するように構成される。ただし、このような常用電源装置５、蓄電部８、非常用電源装置７は、何れも従来周知であるから、詳細な構成の図示並びに説明は省略する。
【００１５】
器具本体１は、本体部２と反射部材３で構成される。本体部２は、図３Ａ及び図３Ｂに示すように、鋼板などの金属板により、下面が開口した長尺の矩形箱状に形成される。本体部２の内底面には、常用電源装置５、非常用電源装置７、蓄電部８が、ねじ止めなどの適宜の方法で取り付けられる。また、本体部２の左側の内側面には、点検スイッチ１０が取り付けられることが好ましい。この点検スイッチ１０は、引き紐１００が引っ張られたとき、非常用電源装置７の切換回路に、前記２次電池を前記非常時点灯回路と電気的に接続させるように構成される。
【００１６】
本体部２は、前端及び後端にソケット台２０がそれぞれ設けられる。そして、各ソケット台２０の下面側にランプソケット４が取り付けられる。なお、各ランプソケット４は、図３Ｂに示すように、ソケット台２０に取り付けられることで本体部２から下向きに突出する。
【００１７】
また、本体部２の下面側には、一対の取付金具２１が設けられる。取付金具２１は、矩形平板状の固定部２１０と、固定部２１０に対して回転可能に保持されるラッチ２１１とを有する。取付金具２１は、固定部２１０が本体部２の左右両側の側板に固定されて本体部２に取り付けられる（図３Ｂ参照）。
【００１８】
反射部材３は、図４に示すように、ベース板３０と、一対の反射板３１とを有する。ベース板３０は、本体部２の下面全体を覆うように、長尺の矩形平板状に形成される。ただし、ベース板３０の長手方向の両端部には、ランプソケット４が挿通される矩形の切欠３００がそれぞれ設けられている。また、ベース板３０には、長孔からなる取付孔３０１が長手方向に沿って並ぶように設けられている。さらに、ベース板３０には、点検スイッチ１０の引き紐１００が挿通されるだるま孔３０２が設けられている。
【００１９】
反射板３１は、ベース板３０の左右両端縁から突出し、且つ上に凸となる曲面形状に形成される（図２参照）。ただし、これら一対の反射板３１は、金属板が加工されることでベース板３０と一体に構成されることが好ましい。また、反射部材３は、白色の塗料で全体が塗装されることが好ましい。
【００２０】
反射部材３は、ベース板３０の取付孔３０１に挿通されたラッチ２１１が回転させられることにより、ベース板３０で開口面（下面）を塞ぐようにして本体部２に取り付けられる（図２参照）。
【００２１】
カバー６は、図５Ａ〜図５Ｄに示すように、カバー本体６０と、引掛部６１と、締結部６２とを有する。カバー本体６０は、帯状の金属材料が長手方向に沿ってＵ字状に湾曲するように形成される（図５Ａ参照）。引掛部６１は、カバー本体６０の長手方向の一端部分に設けられる。締結部６２は、カバー本体６０の長手方向の他端部分に設けられる。
【００２２】
引掛部６１は、カバー本体６０よりも幅の小さい首部６１０と、首部６１０よりも幅が大きく且つカバー本体６０よりも幅の小さい頭部６１１とを有することが好ましい（図５Ｂ参照）。また、締結部６２は、カバー本体６０よりも幅細の舌片６２０と、舌片６２０に設けられる雌ねじ部６２１とで構成されることが好ましい。雌ねじ部６２１は、舌片６２０の中央からカバー本体６０と反対側に突出する円筒形の突起と、当該突起の内周面に形成されるねじ山とで構成されることが好ましい。
【００２３】
一方、反射部材３のベース板３０の各切欠３００の近傍に、引掛部６１が引っ掛けられる被引掛部３２と、固定ねじ３４を用いて締結部６２が締結される被締結部３３とが、それぞれ設けられる（図４参照）。
【００２４】
被引掛部３２は、図６に示すように、それぞれが矩形の長孔からなる第１挿通孔３２０、第２挿通孔３２１、第３挿通孔３２２を有し、第１挿通孔３２０と第３挿通孔３２２とが第２挿通孔３２１を介して繋がるように構成されることが好ましい。第１挿通孔３２０は、引掛部６１の頭部６１１の幅Ｄ２よりも大きい幅ｄ１を有するように構成されることが好ましい。また、第２挿通孔３２１は、頭部６１１の幅Ｄ２よりも小さく且つ引掛部６１の首部６１０の幅Ｄ１よりも大きい幅ｄ２を有するように構成されることが好ましい。さらに、第３挿通孔３２２は、第２挿通孔３２１の幅ｄ２よりも大きく且つ頭部６１１の幅Ｄ２よりも小さい幅ｄ３を有するように構成されることが好ましい。ただし、第２挿通孔３２１は、第１挿通孔３２０から第３挿通孔３２２に向かって徐々に幅を狭くするように台形状に形成されることが好ましい。
【００２５】
被締結部３３は、図６に示すように、凸字状の貫通孔３３０と、貫通孔３３０と隣り合う丸孔３３１とを有することが好ましい。貫通孔３３０は、締結部６２が挿通可能な大きさに形成されることが好ましい。また、丸孔３３１は、固定ねじ３４の雄ねじ部（軸部）が挿通可能な大きさに形成されることが好ましい。
【００２６】
次に、反射部材３のベース板３０にカバー６が取り付けられる手順を説明する。まず、作業者は、天井材に本体部２をねじ止めし、取付金具２１を用いて本体部２に反射部材３を取り付けた後、ランプソケット４と口金９１を機械的に接続することでランプ９を照明器具に装着する。続いて、作業者は、締結部６２の舌片６２０を被締結部３３の貫通孔３３０に挿通した後、カバー本体６０を手で撓めながら、被引掛部３２の第１挿通孔３２０に引掛部６１を挿入する（図７Ａ参照）。作業者がカバー本体６０から手を離すと、カバー本体６０の復元力（弾性力）により、引掛部６１の首部６１０が第１挿通孔３２０から第２挿通孔３２１を通って第３挿通孔３２２に移動する（図７Ｂ参照）。このとき、第２挿通孔３２１が第１挿通孔３２０から第３挿通孔３２２に向かって徐々に幅を狭くするように台形状に形成されていれば、首部６１０が第３挿通孔３２２にスムーズに移動できる。上述のように首部６１０（引掛部６１）が第３挿通孔３２２に移動すると、引掛部６１が被引掛部３２に引っ掛けられ、且つ締結部６２の舌片６２０が貫通孔３３０に引っ掛けられることにより、カバー６が器具本体１（反射部材３のベース板３０）に仮保持される。
【００２７】
最後に、作業者は、被締結部３３の丸孔３３１に固定ねじ３４を挿通し、固定ねじ３４の雄ねじ（軸部）を締結部６２の雌ねじ部６２１にねじ込むことで締結部６２を被締結部３３に締結する。このとき、固定ねじ３４の締め付けに伴ってカバー６が僅かに回転し、首部６１０の端部が第３挿通孔３２２の縁（図７Ｃにおける右下の縁）に当たるため、首部６１０の第３挿通孔３２２から第２挿通孔３２１への移動が規制される（図７Ｃ参照）。故に、カバー６の引掛部６１がベース板３０の被引掛部３２から離脱し難くなっている。カバー６は、上述のような手順でベース板３０に取り付けられる。
【００２８】
而して、本実施形態におけるカバー６は、図１Ｂに示すように、ランプソケット４と機械的に接続されているランプ９の口金９１を覆うようにベース板３０に取り付けられる。したがって、火災が発生した場合、金属製のカバー６で合成樹脂製の口金９１が覆われて保護されるので、口金９１の変形が抑制される。その結果、本実施形態の照明器具は、従来例と比較して、更なる安全性の向上を図ることができる。
【００２９】
上述のように本実施形態の照明器具は、ランプ９の口金９１を保持する１乃至複数のランプソケット４と、ランプ９に給電して点灯する電源装置（常用電源装置５）とを備える。また、本実施形態の照明器具は、ランプソケット４及び電源装置（常用電源装置５）を支持して造営材（天井）に取り付けられる器具本体１と、器具本体１に着脱可能に取り付けられてランプ９の口金９１を覆うカバー６とを備える。カバー６は、帯状の金属材料が長手方向に沿って湾曲するように形成されるカバー本体６０と、カバー本体６０の長手方向の一端部分に設けられる引掛部６１と、カバー本体６０の長手方向の他端部分に設けられる締結部６２とを有する。器具本体１（反射部材３）は、引掛部６１が引っ掛けられる被引掛部３２と、締結部材（固定ねじ３４）を用いて締結部６２と締結される被締結部３３とを有する。
【００３０】
本実施形態の照明器具は上述のように構成され、金属製のカバー６でランプ９の口金９１が覆われて保護されるので、従来例と比較して、更なる安全性の向上を図ることができる。
【００３１】
また、本実施形態の照明器具において、引掛部６１は、カバー本体６０よりも幅の小さい首部６１０と、首部６１０よりも幅が大きく且つカバー本体６０よりも幅の小さい頭部６１１とを有することが好ましい。また、本実施形態の照明器具において、被引掛部３２は、頭部６１１の幅よりも大きい幅の第１挿通孔３２０と、頭部６１１の幅よりも小さく且つ首部６１０の幅よりも大きい幅の第２挿通孔３２１とを有することが好ましい。さらに、本実施形態の照明器具において、被引掛部３２は、第２挿通孔３２１の幅よりも大きく且つ頭部６１１の幅よりも小さい幅の第３挿通孔３２２を有することが好ましい。そして、本実施形態の照明器具において、被引掛部３２は、第１挿通孔３２０と第３挿通孔３２２とが第２挿通孔３２１を介して繋がるように構成されることが好ましい。
【００３２】
本実施形態の照明器具が上述のように構成されれば、引掛部６１を被引掛部３２に容易に引っ掛けることができ、且つ、引掛部６１が被引掛部３２から外れ難くなる。
【００３３】
ところで、本実施形態の照明器具は、一対のランプソケット４を備えた１灯形の照明器具を例示したが、複数対のランプソケット４を備えた多灯形の照明器具であっても構わない。
【００３４】
また、直管ＬＥＤランプは、製造者（メーカー）毎に口金の幅寸法が異なっている場合がある。したがって、カバー本体６０の幅寸法が異なる複数種類のカバー６が用意され、ランプ９の口金９１に適したカバー６が器具本体１に取り付けられることが好ましい。この場合、複数種類のカバー６を見分けるための目印として、引掛部６１に孔６１２が設けられることが好ましい。つまり、カバー６の種類毎に、孔６１２の有無や孔６１２の形状、孔６１２が設けられる位置が変更されることが好ましい。
【符号の説明】
【００３５】
１  器具本体
３  反射部材（器具本体）
４  ランプソケット
５  常用電源装置（電源装置）
６  カバー
９  直管ＬＥＤランプ（ランプ）
３２  被引掛部
３３  被締結部
３４  固定ねじ（締結部材）
６０  カバー本体
６１  引掛部
６２  締結部
９１  口金
３２０  第１挿通孔
３２１  第２挿通孔
３２２  第３挿通孔
６１０  首部
６１１  頭部
【図１】
0006531933.tif 000002
【図２】
0006531933.tif 000003
【図３】
0006531933.tif 000004
【図４】
0006531933.tif 000005
【図５】
0006531933.tif 000006
【図６】
0006531933.tif 000007
【図７】
0006531933.tif 000008